(57)【要約】【課題】簡易な構成で、用紙を搬送方向にも幅方向にも位置ずれしないように整合し、パンチ孔位置のばらつきをなくした後処理装置。【解決手段】突き当て部材を用紙の搬送路より退避させた状態で用紙を搬送ローラにより挟持して搬送し、少なくとも用紙の先端部が穿孔手段を通過した後、アクチュエータを通電して搬送ローラによる用紙への挟持を解除し、整合手段により用紙を幅整合し、続いてアクチュエータの通電を停止して搬送ローラにより再び用紙を挟持し、更に用紙の後端部と用紙の搬送路に挿入した突き当て部材とを当接させた後、穿孔手段により用紙に穿孔処理すること。【選択図】        図２
2004217337.tif 000002
【特許請求の範囲】
【請求項１】
搬送された用紙の所定位置にファイル用の孔をパンチにより穿孔処理する穿孔手段を備えた後処理装置において、
駆動ローラ及び従動ローラから構成され、前記穿孔手段に対して用紙搬送方向下流側に配置されて前記用紙を挟持して搬送する搬送ローラと、
前記駆動ローラに圧着させる方向に前記従動ローラを付勢する付勢部材と、
通電させることにより前記従動ローラによる前記駆動ローラに対する圧着を前記付勢部材の付勢力に抗して解除させるアクチュエータと、
用紙搬送方向と直交する用紙幅方向に前記用紙を幅整合する整合手段と、
前記パンチに対して用紙搬送方向上流側に配置され、前記用紙の搬送路に対して挿脱する突き当て部材と、を備え、
前記突き当て部材を前記用紙の搬送路より退避させた状態で前記用紙を前記搬送ローラにより挟持して搬送し、少なくとも前記用紙の先端部が前記穿孔手段を通過した後、前記アクチュエータを通電して前記搬送ローラによる前記用紙への挟持を解除し、前記整合手段により前記用紙を幅整合し、続いて前記アクチュエータの通電を停止して前記搬送ローラにより再び前記用紙を挟持し、更に前記用紙の後端部と前記用紙の搬送路に挿入した前記突き当て部材とを当接させた後、前記穿孔手段により前記用紙に穿孔処理することを特徴とする後処理装置。
【請求項２】
前記アクチュエータの通電を停止して前記搬送ローラにより再び前記用紙を挟持した後、前記搬送ローラを逆転させて前記用紙を逆方向に搬送し、前記用紙の後端部と前記突き当て部材とを当接させることを特徴とする請求項１に記載の後処理装置。
【請求項３】
前記穿孔手段に対して用紙搬送方向上流側に配置され前記用紙を前記穿孔手段に導入する入口ローラを備えたことを特徴とする請求項１又は請求項２に記載の後処理装置。
【請求項４】
前記アクチュエータがソレノイドであることを特徴とする請求項１〜３の何れか１項に記載の後処理装置。
【請求項５】
前記搬送ローラ及び前記アクチュエータが２対設けられていることを特徴とする請求項１〜４の何れか１項に記載の後処理装置。
【請求項６】
少なくとも画像書込手段、画像形成手段、用紙搬送手段及び制御手段を有する画像形成装置に、請求項１〜５に記載の後処理装置を接続したことを特徴とする画像形成システム。
【請求項７】
搬送された用紙の所定位置にファイル用の孔を穿孔手段に設けたパンチにより穿孔処理する用紙穿孔方法において、
前記穿孔手段に対して用紙搬送方向下流側に配置された搬送ローラにより前記用紙を挟持して搬送し、少なくとも前記用紙の先端部を前記穿孔手段を通過させる工程と、
アクチュエータへの通電により前記搬送ローラによる前記用紙への挟持を解除する工程と、
整合手段により前記用紙を用紙搬送方向と直交する用紙幅方向に幅整合する工程と、
前記アクチュエータへの通電を停止して前記搬送ローラにより前記用紙を再び挟持する工程と、
前記パンチに対して用紙搬送方向上流側に配置された突き当て部材を前記用紙の搬送路に挿入する工程と、
前記用紙の後端部及び前記突き当て部材を当接させる工程と、
前記穿孔手段により前記用紙に穿孔処理する工程と、
を備えたことを特徴とする用紙穿孔方法。
【請求項８】
前記アクチュエータへの通電を停止して前記搬送ローラより前記用紙を再び挟持する工程の後、前記搬送ローラを逆転させて前記用紙を逆方向に搬送する工程を備えたことを特徴とする請求項７に記載の用紙穿孔方法。
【請求項９】
前記搬送ローラにより前記用紙を搬送して前記穿孔手段を通過させる工程のときは、前記用紙の搬送路より前記突き当て部材が退避していることを特徴とする請求項７又は請求項８に記載の用紙穿孔方法。
【請求項１０】
前記アクチュエータがソレノイドであることを特徴とする請求項７〜９のいずれか１項に記載の用紙穿孔方法。
【発明の詳細な説明】
【０００１】
【発明の属する技術分野】
本発明は、搬送された用紙の所定位置にファイル用の孔をパンチにより穿孔する後処理装置、該後処理装置を接続した画像形成システム、及び用紙穿孔方法に関する。
【０００２】
【従来の技術】
近年は、電子写真複写機、プリンタ、ファクシミリ、及びこれらの諸機能を備えた複合機等の画像形成装置により画像が形成された用紙をファイルするために、用紙の穿孔処理を自動的に行う後処理装置が提供されている。これにより、従来の如く出力された用紙をオペレータが束ねて事務用パンチにセットし、位置決めをして孔空け作業をする手間が省け、事務作業が非常に効率的になっている。
【０００３】
このような後処理装置において、個々の用紙が位置ずれしたり傾いていたりした状態で穿孔されると、パンチ孔位置もずれてしまい、ファイリングしたときに用紙が不揃いになって見苦しくなるという問題がある。
【０００４】
このために、従来は用紙を搬送方向と直交する部材に付き当てるレジスト処理をしたり、搬送部材の部品精度を上げたりすることで、用紙の位置ずれや傾きに対処していた。
【０００５】
このような問題に対処する一例として、シート（用紙）の後端部が第１搬送ローラを通過する際に、第１搬送ローラと第２搬送ローラとの搬送速度に相対的な差を付け、シートを両ローラ間で湾曲させて用紙の後端部を第１搬送ローラに当接させることによりパンチ孔位置を決めるシート収容装置が特許文献に開示されている（特許文献１参照）。
【０００６】
【特許文献１】
特許第３３０１１９５号公報（第２頁）
【０００７】
【発明が解決しようとする課題】
しかしながら、特許文献１においては、パンチ孔が用紙の搬送方向には位置決めされるが、用紙の幅方向には規制するものがないので、パンチ孔が用紙の幅方向にずれたり傾いたりしてしまうことが生ずる。
【０００８】
本発明はかかる問題に鑑みてなされたものであり、簡易な構成で、用紙を搬送方向にも幅方向にも位置ずれしないように整合し、パンチ孔位置のばらつきをなくすことにより、ファイリングの際に見苦しくならないようにした後処理装置、該後処理装置を接続した画像形成システム、及び用紙穿孔方法を提案することを目的とする。
【０００９】
【課題を解決するための手段】
上記目的は下記の何れかの手段により達成される。
【００１０】
▲１▼搬送された用紙の所定位置にファイル用の孔をパンチにより穿孔処理する穿孔手段を備えた後処理装置において、駆動ローラ及び従動ローラから構成され、前記穿孔手段に対して用紙搬送方向下流側に配置されて前記用紙を挟持して搬送する搬送ローラと、前記駆動ローラに圧着させる方向に前記従動ローラを付勢する付勢部材と、通電させることにより前記従動ローラによる前記駆動ローラに対する圧着を前記付勢部材の付勢力に抗して解除させるアクチュエータと、用紙搬送方向と直交する用紙幅方向に前記用紙を幅整合する整合手段と、前記パンチに対して用紙搬送方向上流側に配置され、前記用紙の搬送路に対して挿脱する突き当て部材と、を備え、前記突き当て部材を前記用紙の搬送路より退避させた状態で前記用紙を前記搬送ローラにより挟持して搬送し、少なくとも前記用紙の先端部が前記穿孔手段を通過した後、前記アクチュエータを通電して前記搬送ローラによる前記用紙への挟持を解除し、前記整合手段により前記用紙を幅整合し、続いて前記アクチュエータの通電を停止して前記搬送ローラにより再び前記用紙を挟持し、更に前記用紙の後端部と前記用紙の搬送路に挿入した前記突き当て部材とを当接させた後、前記穿孔手段により前記用紙に穿孔処理することを特徴とする後処理装置。
【００１１】
▲２▼少なくとも画像書込手段、画像形成手段、用紙搬送手段及び制御手段を有する画像形成装置に、請求項１〜５に記載の後処理装置を接続したことを特徴とする画像形成システム。
【００１２】
▲３▼搬送された用紙の所定位置にファイル用の孔を穿孔手段に設けたパンチにより穿孔処理する用紙穿孔方法において、前記穿孔手段に対して用紙搬送方向下流側に配置された搬送ローラにより前記用紙を挟持して搬送し、少なくとも前記用紙の先端部を前記穿孔手段を通過させる工程と、アクチュエータへの通電により前記搬送ローラによる前記用紙への挟持を解除する工程と、整合手段により前記用紙を用紙搬送方向と直交する用紙幅方向に幅整合する工程と、前記アクチュエータへの通電を停止して前記搬送ローラにより前記用紙を再び挟持する工程と、前記パンチに対して用紙搬送方向上流側に配置された突き当て部材を前記用紙の搬送路に挿入する工程と、前記用紙の後端部及び前記突き当て部材を当接させる工程と、前記穿孔手段により前記用紙に穿孔処理する工程と、を備えたことを特徴とする用紙穿孔方法。
【００１３】
【発明の実施の形態】
以下に本発明に関する実施の形態を図を参照して詳細に説明する。
【００１４】
先ず、画像形成システムの構成を図１の構成図に基づいて説明する。なお、これは一例であって、どのような形態の画像形成装置や後処理装置により構成される画像形成システムであっても後述する穿孔処理が行われるならば本発明の範疇に包含されるものである。
【００１５】
画像形成装置Ａは、回転する像担持体１の周囲に、帯電手段２、像露光手段３、現像手段４、転写手段５Ａ、除電手段５Ｂ、分離爪５Ｃ、及びクリーニング手段６を有し、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００１６】
なお、特許請求の範囲における画像書込手段は像露光手段３に相当し、画像形成手段は帯電手段２、現像手段４、転写手段５Ａに相当する。
【００１７】
一方、給紙手段７Ａから給紙された画像記録用紙（以下、用紙と称す）Ｓは転写位置へ送られる。転写位置において転写手段５Ａにより前記トナー像が用紙Ｓ上に転写される。その後に、用紙Ｓは除電手段５Ｂにより裏面の電荷が消去され、分離爪５Ｃにより像担持体１から分離され、中間搬送部７Ｂにより搬送され、引き続き定着手段８により加熱定着され、排紙ローラ７Ｃにより排出される。
【００１８】
なお、用紙Ｓの片面に画像形成を行う場合には、搬送路切り替え板７Ｄが破線の状態に切り替えられている。
【００１９】
また、像担持体１の画像処理後の表面は、分離爪５Ｃの下流においてクリーニング手段６により表面に残留している現像剤が除去され、次の画像形成に備える。
【００２０】
一方、用紙Ｓの両面に画像形成を行う場合には、搬送路切り替え板７Ｄを実線の状態に切り替えることにより、定着手段８により加熱定着された用紙Ｓは下方に搬送され、反転搬送手段７Ｅにおいてスイッチバックして表裏反転された後、転写位置において新たなトナー像が裏面に転写される。その後は、上記と同工程で加熱定着され、破線の状態に切り替えた搬送路切り替え板７Ｄを通過した後、排紙ローラ７Ｃにより排出される。
【００２１】
更に後述する如く、穿孔処理、折り処理、及び綴じ処理等を行うときには、搬送路切り替え板７Ｄを実線の状態に切り替えることにより、定着手段８により加熱定着された用紙Ｓは下方に搬送され、反転搬送手段７Ｅにおいてスイッチバックして表裏反転されて、排紙ローラ７Ｃにより排出される。
【００２２】
何れの状態であっても、排紙ローラ７Ｃから排出された用紙Ｓは、後処理装置ＦＳに送り込まれる。
【００２３】
なお、画像形成装置Ａの上部前面側には、画像形成モード、用紙後処理モードを選択して設定する操作部９が配置されており、画像形成装置Ａの上部には、原稿移動型読み取り方式の自動原稿送り装置を備えた画像読み取り装置Ｂが設置されている。
【００２４】
後処理装置ＦＳには、図の上段に第１給紙台２０Ａ、第２給紙台２０Ｂ、固定排紙台９１が配置され、中段に穿孔手段３０、シフト手段５０、排紙手段６０が略水平をなす同一平面上に直列に配置され、下段に綴じ手段７０、折り手段８０が傾斜をなす同一平面上に直列に配置されている。
【００２５】
また、後処理装置ＦＳの左部には、シフト処理済みの用紙Ｓ及び綴じ処理済みの用紙束を積載して昇降する昇降排紙台９２と、三つ折り若しくは二つ折りに折り処理された用紙束Ｔを積載する固定排紙台９３とが配置されている。
【００２６】
そして、画像形成装置Ａの排紙ローラ７Ｃから排出された用紙Ｓは、後処理装置ＦＳの入口ローラ１１に導入される。なお、入口ローラ１１は画像形成装置Ａの排紙ローラ７Ｃと位置が合致するように配置されている。
【００２７】
また、入口ローラ１１には、画像形成装置Ａから排出された用紙Ｓばかりでなく、第１給紙台２０Ａから供給されて用紙束間に挿入される合紙（インターシート）、及び第２給紙台２０Ｂから供給されて用紙束の表紙になる表紙用紙も導入される。合紙は給紙ローラ２１により分離・給送され、複数の搬送ローラ２３により搬送されて入口ローラ１１に導入され、表紙用紙は給紙ローラ２２により分離・給送され、複数の搬送ローラ２３により搬送されて入口ローラ１１に導入される。
【００２８】
入口ローラ１１の用紙搬送方向下流側には、穿孔手段３０が配置されており、搬送された用紙Ｓ、合紙及び表紙用紙の所定の位置に２個乃至４個のファイル用の孔が穿孔処理される。なお、この穿孔手段３０による穿孔処理は本発明の要諦であるので、別途詳述する。穿孔処理された用紙Ｓ等は搬送ローラ１２，１３，１４によって搬送され、一対の切り換えゲートＧに達する。
【００２９】
切り換えゲートＧは図示しないソレノイドの駆動により三方の用紙搬送路、即ち、固定排紙台９１に至る第１搬送路Ｆ１、シフト手段５０に至る第２搬送路Ｆ２、綴じ手段７０に至る第３搬送路Ｆ３の何れかに選択的に分岐させる。
【００３０】
ここで、単純排紙が設定されると、切り換えゲートＧは第１搬送路Ｆ１のみを開放し、他の第２搬送路Ｆ２及び第３搬送路Ｆ３を遮断する。そして、用紙Ｓ等は第１搬送路Ｆ１を通過して上昇し、固定排紙台９１上に順次積載される。
【００３１】
シフト処理が設定されると、切り換えゲートＧは第２搬送路Ｆ２のみを開放し、第１搬送路Ｆ１及び第３搬送路Ｆ３を遮断する。そして、用紙Ｓは第２搬送路Ｆ２を通過し、シフト手段５０により用紙搬送方向に直交する方向にシフト処理される。シフト手段５０は所定の枚数毎に、搬送幅方向に用紙Ｓの排紙位置を変えるシフト処理を行う。シフト処理された用紙Ｓは昇降排紙台９２に排出されて順次載置される。
【００３２】
綴じ処理または折り処理が設定されると、切り換えゲートＧは第３搬送路Ｆ３のみを開放し、第１搬送路Ｆ１及び第２搬送路Ｆ２を遮断する。そして、用紙Ｓは第３搬送路Ｆ３を通過し、用紙Ｓの先端部が入口搬送ローラ対（レジストローラ）７１の挟持位置付近に当接して停止され、用紙先端の整合が行われる。用紙Ｓの進行方向後端部が入口搬送ローラ対７１の挟持位置から排出された後には、用紙Ｓは慣性力によって用紙載置台７２に沿って上方に放出され、その後、自重により下降に転じ、用紙載置台７２の傾斜面上を滑走・下降して停止する。
【００３３】
所定枚数の用紙Ｓ（用紙束）が用紙載置台７２上に積載されると、用紙載置台７２の両側面に移動可能に設けた図示していない一対の幅整合部材により整合され、続いて、綴じ手段７０により用紙束の側縁片近傍の１箇所若しくは中央の２箇所に綴じ針が打針され、綴じ処理が行われる。綴じ処理された用紙束は用紙載置台７２の載置面上を滑走して斜め上方に押し上げられ、昇降排紙台９２上に排出、積載される。
【００３４】
なお、第２折り処理手段８０にて二つ折り処理及び三つ折り処理が可能であるが、説明を省略する。
【００３５】
次に、本発明に係わる穿孔処理機構について、図２乃至図６に基づいて説明する。
【００３６】
最初に穿孔処理機構の構成を図２及び図３に基づいて説明する。図２は穿孔処理機構における主要部の側面図、図３は穿孔処理機構における主要部の上面図である。
【００３７】
両図において、入口ローラ１１、搬送ローラ１２，１３及び穿孔手段３０は図１に示したものと同一のものである。入口ローラ１１及び搬送ローラ１２，１３は各々駆動ローラ１１ａ，１２ａ，１３ａと従動ローラ１１ｂ，１２ｂ，１３ｂとからなり、駆動ローラ１１ａ，１２ａ，１３ａは図示していないモータによって駆動される。また、搬送ローラ１２，１３により用紙Ｓが確実に案内されて搬送されるように上部案内板３１及び下部案内板３２が配置されている。そして、上部案内板３１に設けたばね掛け部３１ａにねじりコイルばね３３が係着し、ねじりコイルばね３３の一端が従動ローラ１２ｂ，１３ｂの支軸１２ｃ，１３ｃを押圧しているので、従動ローラ１２ｂ，１３ｂは駆動ローラ１２ａ，１３ａに対して圧着している。また、従動ローラ１２ｂ，１３ｂは駆動ローラ１２ａ，１３ａに対する圧着が解除されて上方に移動可能に構成されているので、上部案内板３１には支軸１２ｃ，１３ｃを案内する案内部３１ｂが設けられている。
【００３８】
なお、特許請求の範囲における付勢部材は、ねじりコイルばね３３に対応するが、付勢部材としては必ずしもねじりコイルばねに限定されるものではなく、引っ張り用若しくは圧縮用のつる巻きばねや、板バネ等であってもよい。要は従動ローラ１２ｂ，１３ｂを駆動ローラ１２ａ，１３ａに圧着させる方向に付勢できれば、どのような付勢部材であってもよい。
【００３９】
上部案内板３１の上方には二つのソレノイド３４が配置されており、各ソレノイド３４と従動ローラ１２ｂ，１３ｂとの間にはそれぞれクランクレバー３５が設けられている。そして、クランクレバー３５の一端は各ソレノイド３４のプランジャー３４ａと係合し、クランクレバー３５の他端は従動ローラ１２ｂ，１３ｂの支軸１２ｃ，１３ｃの下部を上方に押圧可能に構成されている。
【００４０】
また、搬送ローラ１２，１３の位置に搬送された用紙Ｓの両側端部を、用紙搬送方向と直交する用紙幅方向から中央に向けて押圧して幅整合し、用紙Ｓの幅方向のバラツキをなくす幅整合板４１，４２が設けられている。幅整合板４１，４２は図示していないステッピングモータによって駆動されるベルト４３によって、用紙幅方向で且つ互いに逆方向に移動可能であり、支軸４４，４５によって支持されている。
【００４１】
穿孔手段３０には用紙Ｓにファイル用の孔を穿孔するパンチ３０ａが設けられているが、そのパンチ３０ａに対する用紙搬送方向上流側には複数の突き当て部材４８が設けられている。突き当て部材４８は図示していないステッピングモータにより支軸４９を中心に回動自在であり、後述するように用紙Ｓを用紙搬送方向上流側から穿孔手段３０を通過させるときは、突き当て部材４８は用紙Ｓの搬送路３０ｂから退避しており、用紙Ｓを用紙搬送方向下流側から穿孔手段３０に搬送するときは、突き当て部材４８は用紙Ｓの搬送路３０ｂに挿入されていて、用紙Ｓの後端部を突き当てる構成になっている。
【００４２】
なお、突き当て部材４８を駆動するアクチュエータとしては、ステッピングモータに限定されるものではなく、ソレノイドによって突き当て部材を搬送路３０ｂに挿脱させる構成にしてもよい。
【００４３】
また、穿孔手段３０に対する用紙搬送方向上流側には用紙Ｓを検知するセンサ４７が配置されている。
【００４４】
次に、穿孔処理の工程を図２乃至図５に基づいて手順を追って説明する。
先ず、図１及び図２において、画像形成装置Ａの排紙ローラ７Ｃから排出された用紙Ｓは後処理装置ＦＳの入口ローラ１１に送り込まれ、入口ローラ１１によって穿孔手段３０に搬送される。このとき突き当て部材４８は穿孔手段３０の搬送路３０ｂより退避していて、用紙Ｓは搬送路３０ｂをそのまま通過する。そして、用紙Ｓの先端部は搬送ローラ１２によって上部案内板３１と下部案内板３２との間に搬送されるが、センサ４７が用紙Ｓの後端部を検知すると、図示していない制御手段のタイマーが作動し、所定の時間経過後に搬送ローラ１２，１３の回転を中止する。このとき、用紙Ｓは搬送ローラ１２，１３によって挟持されており、用紙Ｓの両側端部より若干外側の位置で該両側端部に当接しない位置に幅整合板４１，４２が位置している。この状態が図２に示されている。
【００４５】
次に、搬送ローラ１２，１３の回転が中止して図２に示す状態になると、制御手段により二つのソレノイド３４が通電され、それぞれのプランジャ３４ａがソレノイド３４の中に引き込まれる。すると、双方のクランクレバー３５が回動し、クランクレバー３５の一端が従動ローラ１２ｂ，１３ｂの支軸１２ｃ，１３ｃの下部をねじりコイルばね３３の付勢力に抗して上方に押圧し、従動ローラ１２ｂ，１３ｂによる駆動ローラ１２ａ，１３ａへの圧着を解除する。この状態を図４に示す。
【００４６】
従動ローラ１２ｂ，１３ｂによる駆動ローラ１２ａ，１３ａへの圧着が解除されると、各ローラによる用紙Ｓへの挟持が解除されるので、図示していないステッピングモータを駆動してベルト４３を回転させて幅整合板４１，４２を中央方向に移動させ、用紙Ｓの両側端部を押圧して、用紙Ｓの幅整合を行う。
【００４７】
用紙Ｓの幅整合が終了すると、ソレノイド３４が通電を停止する。すると、プランジャ３４ａが突出し、クランクレバー３５の一端が従動ローラ１２ｂ，１３ｂの支軸１２ｃ，１３ｃの下部から下方に退避するので、従動ローラ１２ｂ，１３ｂはねじりコイルばね３３の付勢力によって再び駆動ローラ１２ａ，１３ａを圧着する。即ち、用紙Ｓは各ローラによって再び挟持され、図２に示した状態に復帰する。
【００４８】
続いて、駆動ローラ１２ａ，１３ａを駆動するモータを逆回転させる。すると、用紙Ｓは駆動ローラ１２ａ，１３ａの逆回転によって用紙搬送方向の上流方向に逆搬送される。このとき、突き当て部材４８が反時計方向に約９０度回転して、用紙Ｓの搬送路３０ｂに挿入されるので、逆方向に搬送された用紙Ｓの後端部が突き当て部材４８に当接する。この状態を図５に示す。そして、モータの逆回転が開始してからタイマーが計時を開始し、用紙Ｓの後端部が突き当て部材４８に確実に当接する時間が経過した後、モータの逆回転を停止する。
【００４９】
なお、図５に示すように、用紙Ｓの後端部を突き当て部材４８に確実に当接させるために、上部案内板３１と下部案内板３２における用紙搬送方向上流側の端部は外側に開いた形状になっていて、穿孔手段３０との間で用紙Ｓが撓むことができるようになっている。
【００５０】
このようにして、用紙Ｓは幅整合された上に、後端部が突き当て部材４８に突き当たって搬送方向にも整合された状態になったので、穿孔手段３０を駆動して、パンチ３０ａにより用紙Ｓに所定の個数のパンチ孔の穿孔処理を行う。
【００５１】
図６は、穿孔手段により穿孔処理された用紙の各種例を示す平面図である。図６（ａ）は用紙Ｓの後端部ｄの近傍の２箇所に孔ｈを穿孔した例（２孔ファイル）、図６（ｂ）は用紙Ｓの後端部ｄの近傍の３箇所に孔ｈを穿孔した例（３孔ファイル）、図６（ｃ）は用紙Ｓの後端部ｄの近傍の４箇所に孔ｈを穿孔した例（４孔ファイル）を示す。これらの複数の孔ｈの間隔は図示の寸法の如く規格化されている。また、用紙Ｓの後端部ｄから孔ｈまでの穿孔端面距離ｅは、任意に設定できるが、一般には９〜１１ｍｍである。
【００５２】
ここで、以上の作動における図示していない制御手段の制御をまとめると、該制御手段は、センサ４７が用紙Ｓの後端部を検知した後に、モータによる搬送ローラ１２，１３の回転を停止させ、ソレノイド３４を通電させ、スッテピングモータによりベルト４３を回転させて幅整合板４１，４２を移動させ、ソレノイド３４の通電を停止し、搬送ローラ１２，１３を逆転させ、ステッピングモータにより突き当て部材４８を回動させ、搬送ローラ１２，１３の逆転を停止させ、穿孔手段３０を駆動させる一連の制御をタイマーを作動させて所定の時間間隔で行う。
【００５３】
なお、ステッピングモータにより突き当て部材４８を回動させる動作は、用紙Ｓの後端部が、突き当て部材４８が挿入されるべき搬送路３０ｂの位置より用紙搬送方向下流側に搬送された後ならば、どの時点で行ってもよい。
【００５４】
また、この制御手段は画像形成装置Ａに設けられていても、後処理装置ＦＳに設けられていてもよい。
【００５５】
その他に、以上の如く説明した構成においては、駆動ローラ１２ａ，１３ａを逆転させて用紙Ｓを逆方向に搬送し、用紙Ｓの後端部を突き当て部材４８に当接させたが、必ずしもこのように用紙Ｓを逆方向に搬送しなくてもよい。即ち、用紙Ｓの先端部が穿孔手段３０の搬送路３０ｂを通過しても、用紙Ｓの後端部が未だ搬送路３０ｂ内に位置している状態で、用紙Ｓの搬送を停止させ、その後は前述の如き幅整合を行い、用紙Ｓが搬送ローラ１２，１３によって再び挟持されて停止している状態で、突き当て部材４８を回動させて用紙Ｓの後端部に当接させるようにしてもよい。
【００５６】
また、クランクレバー３５を回動させるアクチュエータとしては、ソレノイドに限定されるものではなく、ステッピングモータによってクランクレバー３５を回動させるようにしてもよい。無論、ステッピングモータが駆動する部材はクランクレバーでなく他の形状の部材であってもよく、要は所定のアクチュエータが従動ローラ１２ｂ，１３ｂによる駆動ローラ１２ａ，１３ａへの圧着を解除すれば、どのような構成であってもよい。
【００５７】
【発明の効果】本発明の後処理装置、画像形成システム、及び用紙穿孔方法によれば、簡易な構成で、用紙を搬送方向にも幅方向にも位置ずれしないように整合し、パンチ孔位置のばらつきをなくすことにより、ファイリングの際に見苦しくならないようにすることができるという効果を奏する。
【図面の簡単な説明】
【図１】画像形成システムの構成図である。
【図２】穿孔処理機構における主要部の側面図であって、用紙が搬送ローラによって給送された図である。
【図３】穿孔処理機構における主要部の上面図である。
【図４】穿孔処理機構における主要部の側面図であって、従動ローラによる駆動ローラに対する圧着が解除された図である。
【図５】穿孔処理機構における主要部の側面図であって、用紙に穿孔処理を行うときの図である。
【図６】穿孔手段により穿孔処理された用紙の各種例を示す平面図である。
【符号の説明】
Ａ  画像形成装置
ＦＳ  後処理装置
Ｓ  用紙
１１  入口ローラ
１１ａ，１２ａ，１３ａ  駆動ローラ
１１ｂ，１２ｂ，１３ｂ  従動ローラ
１２，１３  搬送ローラ
３０  穿孔手段
３０ａ  パンチ
３０ｂ  搬送路
３１  上部案内板
３２  下部案内板
３３  ねじりコイルばね
３４  ソレノイド
３５  クランクレバー
４１，４２  幅整合板
４８  突き当て部材
【図１】
2004217337.tif 000003
【図２】
2004217337.tif 000004
【図３】
2004217337.tif 000005
【図４】
2004217337.tif 000006
【図５】
2004217337.tif 000007
【図６】
2004217337.tif 000008